(57)【要約】【課題】身体に負担を掛けることなくツボ刺激や筋力トレーニングを行うことができ、幅広い範囲で活用可能な健康器具を提供する。【解決手段】健康器具１０Ａを、可撓性を有するワイヤーロープ（紐状部材）１と、当該ワイヤーロープ１に貫通され且つ回転自在に支持された弾性ボール２と、当該弾性ボール２を、ワイヤーロープ１の所定部位に固定するための固定部材３と、ワイヤーロープ１の両端に設けられた取り付け部材４に取り付けられた把持部５と、で構成する。そして、この健康器具１０Ａの把持部５を使用者の手又は足に装着して、ツボ刺激用器具又は筋力トレーニング用器具として使用する。【選択図】図１
2008114054.tif 000002
【特許請求の範囲】
【請求項１】
可撓性を有する紐状部材と、
当該紐状部材に支持された弾性ボールと、
当該弾性ボールを、前記紐状部材の所定部位に固定するための固定部材と、
前記紐状部材の両端に設けられた把持部と、
を備えたことを特徴とする健康器具。
【請求項２】
可撓性を有する紐状部材と、
当該紐状部材に支持された弾性ボールと、
当該弾性ボールを、前記紐状部材の所定部位に固定するための固定部材と、
前記紐状部材の両端に設けられた取り付け部材と、
を備えたことを特徴とする健康器具。
【請求項３】
前記紐状部材及び前記取り付け部材の少なくとも一つを、弾性材料で構成したことを特徴とする請求項1又は２に記載の健康器具。
【請求項４】
前記弾性ボールを、前記紐状部材に貫通させ且つ回転自在に支持したことを特徴とする請求項１から３のいずれかに記載の健康器具。
【請求項５】
前記弾性ボールを複数備え、当該複数の弾性ボール間に、前記紐状部材に貫通され且つ回転自在に支持された仕切り部材を介在させたことを特徴とする請求項１から４のいずれかに記載の健康器具。
【請求項６】
前記複数の弾性ボールを、弾性率、直径、及び重さの少なくとも一つが異なる複数種類で構成したことを特徴とする請求項５に記載の健康器具。
【請求項７】
前記弾性ボールが支持された前記紐状部材と、前記把持部又は前記取り付け部材と、が着脱可能に取り付けられていることを特徴とする請求項１から６のいずれかに記載の健康器具。
【請求項８】
前記取り付け部材に、前記紐状部材の両端を連結可能な連結部材が取り付けられ、
前記紐状部材を、使用者の首、手、足、或いは胴体に巻き付けて、ネックレス、ネックストラップ、ブレスレット、アンクレット、或いはベルトとして使用することを特徴とする請求項２から７のいずれかに記載の健康器具。
【請求項９】
前記取り付け部材に、鞄、サンダル、服又は下着、或いは携帯電話の所定部位と連結可能な連結部材が取り付けられ、
前記紐状部材を、鞄の取手部分又は肩紐部分、サンダルの鼻緒部分又はバンド部分、服又は下着の肩紐部分、或いは携帯電話用ストラップとして使用することを特徴とする請求項２から７のいずれかに記載の健康器具。
【発明の詳細な説明】
【技術分野】
【０００１】
本発明は、身体のツボを刺激したり、筋力トレーニングを行ったりすることを可能とする健康器具に関するものである。
【背景技術】
【０００２】
従来、使用者が手足に装着して、身体のツボを刺激したり、筋力トレーニングを行ったりするために用いられる健康器具として、種々の提案がなされている。
【０００３】
このような健康器具の一例として、特許文献１では、両端に把持部を備えた紐状部材に、球形のツボ刺激部材を貫通させた状態で取り付けた健康器具が提案されている。この特許文献１に記載の健康器具では、紐状部材を綿や麻等の柔らかい素材で構成し、ツボ刺激部材を硬くて軽い木材で構成するとともに、紐状部材をツボ刺激部材に設けた貫通孔よりも太いもので構成することで、紐状部材の所定部位にツボ刺激部材を移動し且つ固定できるようになっている。そして、この健康器具は、紐状部材の両端に備えた把持部を使用者が把持して、紐状部材に取り付けたツボ刺激部材を肩や手足等の身体に押し当てることで、ツボを刺激できるように構成されている。
【０００４】
また、特許文献２では、リング状に形成されてなるゴム材からなる紐状部材を４本以上用い、それぞれの紐状部材を１箇所で固着し、当該固着箇所以外の任意の箇所に把持部を備えた健康器具が提案されている。この特許文献２に記載の健康器具では、ゴム材からなる紐状部材に設けられた把持部を使用者が把持して、ゴム材からなる紐状部材を伸縮させることで、筋力トレーニングを行うことができるように構成されている。
【特許文献１】登録実用新案第３１０８５６６号公報
【特許文献２】特開２００３−１４４５７６号公報
【発明の開示】
【発明が解決しようとする課題】
【０００５】
しかしながら、上述した特許文献１に記載の健康器具においては、ツボ刺激部材が硬い木材で構成されているため、健康器具の押圧力が強すぎると、身体にアザ等の損傷が生じるおそれがあり、身体に負担を掛けずにツボ刺激を行うという点で更なる改善の余地があった。
また、上述した特許文献１に記載の健康器具においては、紐状部材として、ツボ刺激部材に設けられた貫通孔よりも太いものを用いることでツボ刺激部材を所定部位に固定しているため、ツボ刺激部材は紐状部材に対して回転し難く、身体に負担を掛けずにツボ刺激を行うという点や、健康器具としての活用幅を拡げるという点で更なる改善の余地があった。
【０００６】
一方、上述した特許文献２に記載の健康器具においては、ツボ刺激部材を備えていないため、ツボ刺激を行うことができず、健康器具としての活用幅を拡げるという点で更なる改善の余地があった。
【０００７】
さらに、上述した特許文献１及び特許文献２に記載の健康器具においては、いずれも健康器具自体の長さや重さを使用者が適宜調整することができず、持ち運びや収納を効率よく行うという点や、健康器具としての活用幅を拡げるという点で更なる改善の余地があった。
【０００８】
そこで、本発明は、上記事情に鑑みてなされたものであり、身体に負担を掛けることなくツボ刺激や筋力トレーニングを行うことができ、幅広い範囲で活用可能な健康器具を提供することを課題としている。
【課題を解決するための手段】
【０００９】
このような課題を解決するために、本発明は、可撓性を有する紐状部材と、当該紐状部材に支持された弾性ボールと、当該弾性ボールを、前記紐状部材の所定部位に固定するための固定部材と、前記紐状部材の両端に設けられた把持部と、を備えたことを特徴とする健康器具を提供している。
【００１０】
本発明はまた、可撓性を有する紐状部材と、当該紐状部材に支持された弾性ボールと、当該弾性ボールを、前記紐状部材の所定部位に固定するための固定部材と、前記紐状部材の両端に設けられた取り付け部材と、を備えたことを特徴とする健康器具を提供している。
【００１１】
本発明に係る健康器具によれば、可撓性を有する紐状部材に、弾性ボールを支持した構成としたことにより、この弾性ボールを身体の所定部位に当てることでツボ刺激用器具として用いることができるとともに、この弾性ボールを手で握ったりすることで筋力トレーニング用器具として用いることができるため、健康器具としての活用幅を拡げることができる。
【００１２】
また、本発明に係る健康器具によれば、紐状部材、弾性ボール、固定部材、或いは取り付け部材の材質及び形状を適宜変更することで、紐状部材を用いた筋力トレーニングの活用幅をさらに拡げることができる。
【００１３】
ここで、本発明に係る健康器具においては、前記紐状部材及び前記取り付け部材の少なくとも一つを、弾性材料で構成するようにしてもよい。なお、弾性材料としては、特に限定されないが、例えば、ゴム部材やバネ部材を用いることができる。
本構成によれば、紐状部材を用いた筋力トレーニングの活用幅をさらに拡げることができるため、健康器具としての活用幅をさらに拡げることができる。
【００１４】
また、本発明に係る健康器具においては、前記弾性ボールを、前記紐状部材に貫通させ且つ回転自在に支持した構成としてもよい。
本構成によれば、弾性ボールを、紐状部材に貫通させ且つ回転自在に支持したことにより、ツボ刺激や筋力トレーニングを身体に負担を掛けずに行うことができる。
さらに、本発明に係る健康器具においては、前記弾性ボールを複数備え、当該複数の弾性ボール間に、前記紐状部材に貫通させ且つ回転自在に支持された仕切り部材を介在させた構成としてもよい。
本構成によれば、弾性ボールを用いたツボ刺激や筋力トレーニングの活用幅をさらに拡げることができるため、健康器具としての活用幅をさらに拡げることができる。また、本構成によれば、複数の弾性ボール間に仕切り部材を介在させたことにより、各弾性ボールを隣り合う弾性ボールと緩衝せずに回転させることが可能となるため、身体に負担を掛けることなくツボ刺激や筋力トレーニングを行うことができる。
【００１５】
さらに、本発明に係る健康器具においては、前記複数の弾性ボールを、弾性率、直径、及び重さの少なくとも一つが異なる複数種類で構成してもよい。
本構成によれば、複数の弾性ボールを用いたツボ刺激や筋力トレーニングの活用幅をさらに拡げることができるため、健康器具としての活用幅をさらに拡げることができる。
【００１６】
さらに、本発明に係る健康器具においては、前記弾性ボールが支持された前記紐状部材と、前記把持部又は前記取り付け部材と、が着脱可能に取り付けられた構成としてもよい。
本構成によれば、使用者が各自の体型、体力、或いは用途に応じて、弾性ボールが支持された紐状部材と、把持部又は取り付け部材とをそれぞれ組み合わせて健康器具を作製することができるため、健康器具の活用幅をさらに拡げることができる。
【００１７】
また、本構成によれば、持ち運び時や収納時に各部材を取り外すことが可能となるため、持ち運び時や収納時の取り扱いが容易になる。
さらに、本構成によれば、破損箇所のみを適宜交換・修理することが可能となるため、健康器具に要するメンテナンス性能を向上させることができるとともに、健康器具の低コスト化を実現できる。
【００１８】
さらに、本発明に係る健康器具においては、前記取り付け部材に、前記紐状部材の両端を連結可能な連結部材を取り付けて、前記紐状部材を、使用者の首、手、足、或いは胴体に巻き付けて、ネックレス、ネックストラップ、ブレスレット、アンクレット、或いはベルトとして使用するようにしてもよい。
【００１９】
さらに、本発明に係る健康器具においては、前記取り付け部材に、鞄、サンダル、服又は下着、或いは携帯電話の所定部位と連結可能な連結部材を取り付けて、前記紐状部材を、鞄の取手部分又は肩紐部分、サンダルの鼻緒部分又はバンド部分、服又は下着の肩紐部分、或いは携帯電話用ストラップとして使用するようにしてもよい。
【００２０】
なお、本発明に係る紐状部材及び弾性ボールは、前記取り付け部材に連結部材を介して連結させる対象に応じて、その素材や形状を適宜変更することが好ましい。
本構成によれば、日常生活の中でツボ刺激や筋力トレーニングを行うことが可能となるため、健康器具としての活用幅をさらに拡げることができる。
【発明の効果】
【００２１】
本発明によれば、身体に負担を掛けることなくツボ刺激や筋力トレーニングを行うことができ、幅広い範囲で活用可能な健康器具を提供することができる。
【発明を実施するための最良の形態】
【００２２】
以下、本発明に係る実施形態について図面を参照しながら説明する。
【００２３】
＜第一実施形態＞
図１は、本発明に係る健康器具の一例を示す平面図である。
この健康器具１０Ａは、図1に示すように、可撓性を有するワイヤーロープ（紐状部材）１と、当該ワイヤーロープ１に貫通させ且つ回転自在に支持された複数の弾性ボール２と、この弾性ボール２をワイヤーロープ１の所定位置に固定するための固定部材３とからなる本体部と、ワイヤーロープ１の両端に設けられるリング状の把持部５と、で構成されている。
【００２４】
弾性ボール２は、重さが５〜１００ｇ、直径３〜８ｃｍの球形で、所定の弾性力を有するゴム部材から構成されている。
また、複数（本実施形態では１２個）の弾性ボール２は、全て同一の素材及び寸法で構成されている。
さらに、弾性ボール２の中心軸部には、それぞれ筒状の貫通孔２ａが設けられており、この貫通孔２ａには、柔軟性を有する中空パイプ６が内嵌されている。
【００２５】
そして、弾性ボール２は、その貫通孔２ａに内嵌された中空パイプ６内にワイヤーロープ１が貫通され、回転自在に支持されている。
また、複数の弾性ボール２間には、中空パイプ６の内径と略同一寸法の内径を有するリング状の仕切り部材７がそれぞれ介在されている。
【００２６】
固定部材３は、ワイヤーロープ１の外径と略同一寸法の内径を有するリング状のベアリングからなり、弾性ボール１が貫通されたワイヤーロープ１の両端部近傍に貫通された状態で固定されている。これにより、ワイヤーロープ１には、１２個の弾性ボールと１１個の仕切り部材７とが貫通され且つ回転自在に支持された状態で固定されている。
【００２７】
ワイヤーロープ１は、その両端面に、ワイヤーロープ１に把持部５を取り付けるための取り付け部材４がそれぞれ固定されている。この取り付け部材４は、ワイヤーロープ１の両端面をそれぞれ被覆するキャップ部材４１と、当該キャップ部材４１の端面に設けられたリング状の通し孔４２と、で構成されている。
【００２８】
把持部５は、ゴム部材からなる伸縮チューブ５１と、当該伸縮チューブ５１を取り付け部材４の通し孔４２に貫通させた状態で、その伸縮チューブ５１の両端に結合部材５２を介して、回転自在に支持される弾性ボール５３と、で構成されている。
【００２９】
ここで、弾性ボール５３は、上述したワイヤーロープ１に貫通させたものと同一の素材及び寸法のものを各把持部５に一つずつ用いている。そして、この弾性ボール５３に設けられた貫通孔５３ａに内嵌させた中空パイプ６にワイヤーロープ（紐状部材）８を貫通させて、このワイヤーロープ８と伸縮チューブ５１の両端に設けられた結合部材５２とが接続されている。
【００３０】
本実施形態に係る健康器具１０Ａにおいては、その全体の長さや重さを、使用者の体型、体力、或いは用途に応じて適宜変更するために、ワイヤーロープ１の素材及び長さや、貫通させる弾性ボール２の素材、形状、及び個数を適宜調節する。
【００３１】
そして、使用者は、健康器具１０Ａの把持部５を手足に装着して、ワイヤーロープ１の伸縮運動を行ったり、弾性ボール２，５３を手で把持して筋力トレーニングを行ったりすることができる。
また、使用者は、弾性ボール２，５３を首周りや身体の各部に押し当てて、その弾性力を利用してツボ刺激を行うことができる。
さらに、使用者は、ワイヤーロープ１を柱、鴨居、ベッドの枠等に取り付けて用いることで、ワイヤーロープ１を用いた伸縮運動の活用幅をより拡げることができる。
さらに、使用者は、健康器具１０Ａを二以上用意して、これらの健康器具１０Ａを、バネ部材やゴム部材等の所定の結合部材で繋げて用いることもできる。
【００３２】
よって、本実施形態に係る健康器具１０Ａによれば、可撓性を有するワイヤーロープ１，８に弾性ボール２，５３を貫通させた状態で回転自在に支持したことにより、この弾性ボール２，５３を身体の所定部位に当てることでツボ刺激用器具として用いることができるとともに、弾性ボール２，５３を手で把持することで筋力トレーニング用器具として用いることもできる。よって、健康器具１０Ａとしての活用幅を拡げることができる。
【００３３】
また、本実施形態に係る健康器具１０Ａによれば、紐状部材をワイヤーロープ１で構成するとともに、把持部５を伸縮チューブで構成したことにより、ワイヤーロープ１及び把持部５の伸縮運動を行うことで、筋力トレーニング用器具として好適に用いることができる。
【００３４】
さらに、本実施形態に係る健康器具１０Ａにおいて、弾性ボール２，５３の中心軸部に設けられた貫通孔２ａ，５３ａに中空パイプ６を内嵌させたり、複数の弾性ボール２間に仕切り部材７を介在させたりすることにより、ワイヤーロープ１，８に対する弾性ボール２，５３の回転を滑らかにすることができるとともに、弾性ボール２，５３自体の強度を向上させることができる。よって、ツボ刺激や筋力トレーニングを無理なく行うことができ、健康器具１０Ａとしての活用幅を拡げることができるとともに、健康器具１０Ａの耐久性を向上させることができる。
【００３５】
さらに、本実施形態に係る健康器具１０Ａにおいて、把持部５に弾性ボール５３を取り付けたことにより、把持部５を使用者の手足に装着した際に、手足の装着部分に負担を掛けずにツボ刺激や筋力トレーニングを行うことができる。
【００３６】
なお、第一実施形態においては、本体を構成するワイヤーロープ１に１２個の弾性ボール２を回転自在に支持し、各把持部５を構成するワイヤーロープ８にそれぞれ１個の弾性ボール５３を回転自在に支持した構成としたが、用いる弾性ボール２，５３の数はこれに限らず、適宜変更可能である。
【００３７】
例えば、図２及び図３に示す健康器具１０Ｂ，１０Ｃのように、本体部を構成するワイヤーロープ１に支持する弾性ボール２の個数を１２個以下にしてもよいし、図示しないが、１２個よりも多くしてもよい。
また、図４に示す健康器具１０Ｄのように、把持部５を構成するワイヤーロープ８のみに弾性ボール５３を支持する構成としてもよい。
【００３８】
ここで、図２〜図４に示すように、本体をなすワイヤーロープ１の強度を保持し、且つ、安全性を向上させるために、本体をなすワイヤーロープ１のうち弾性ボール２が取り付けられていない部分の外周面には、柔軟性を有するチューブ９を外嵌させることが好ましい。
【００３９】
また、第一実施形態においては、複数の弾性ボール２，５３を、全て同一の素材及び寸法で構成した場合について説明したが、これに限らず、複数の弾性ボール２，５３を、素材や寸法の異なる複数種類で構成してもよい。
これによれば、重さの異なる複数種類の弾性ボール２，５３で構成することで、同一個数の弾性ボール２，５３を用いた場合であっても、健康器具１０Ａ全体の重さを変更することができるため、筋力トレーニングの活用幅を拡げることができる。また、弾性率や直径の異なる複数種類の弾性ボール２，５３で構成することで、弾性ボール２，５３の押圧力をそれぞれ異ならせることができるため、弾性力を利用したツボ刺激や筋力トレーニングの活用幅を拡げることができる。
【００４０】
さらに、第一実施形態においては、把持部５をリング状の伸縮チューブ５１と、当該伸縮チューブ５１に貫通させた弾性ボール５３と、弾性ボール５３を伸縮チューブ５１に結合する結合部材５２と、から構成した場合について説明したが、把持部５の形状はこれに限らず、適宜変更可能である。
具体的に、把持部５には、本体部をなす弾性ボール２とは素材や寸法の異なる弾性ボールを取り付けてもよいし、本体部をなす弾性ボール２に代えて（或いは本体をなす弾性ボール２に加えて）、素材や寸法が異なるツボ押し部材を取り付けてもよい。
【００４１】
例えば、図２及び図３に示すように、卵形状の弾性ボール５４や、硬質の樹脂材料からなるリング状のツボ刺激部材５５や、鈴等の音が出るものや香り袋が封入された、硬質の樹脂材料からなる半球状のツボ刺激部材５６を単独で又は組み合わせて用いてもよい。この場合、卵形状の弾性ボール５４や、その他のツボ刺激部材５５，５６には、上述した弾性ボール２，５３と同様に、それぞれ貫通孔５４ａ〜５６ａが設けられ、それらの貫通孔５４ａ〜５６ａには中空パイプ６が内嵌されている。これにより、弾性ボール５４やその他のツボ刺激部材５５，５６は、ワイヤーロープ１に貫通され且つ回転自在に支持されている。
【００４２】
また、把持部５を、リング状に設けた伸縮パイプ５１のみで構成してもよいし、図２及び図３に示すように、本体部をなすワイヤーロープ１の両端に直接弾性ボール５３，５４やその他のツボ刺激部材５５，５６を回転自在に取り付けて把持部５を構成してもよい。
このように把持部５の構成を変更すれば、ツボ刺激や筋力トレーニングの活用幅を拡げることができるとともに、これらの運動を行う際に、音や香りによるリラックス効果も得られるため、健康器具としての活用幅を大幅に拡げることができる。
さらに、第一実施形態においては、弾性ボール２をワイヤーロープ１に貫通させ且つ回転自在に支持する構成としたが、ワイヤーロープ１に弾性ボール２を支持する構成であればこれに限らない。
例えば、図５に示す健康器具１０Ｅのように、ワイヤーロープ１に弾性ボール２を貫通させずに、弾性ボール２の周面にワイヤーロープ１を巻きつけて固定することで、ワイヤーロープ１に対して弾性ボール２を支持するように構成してもよい。
また、図６に示す健康器具１０Ｉのように、二本の縦材間に複数の横材を設けてはしご状に組み合わせたワイヤーロープ１を用意し、その横材をなすワイヤーロープ１に弾性ボール２を貫通させることで、回転自在に支持するように構成してもよい。
【００４３】
＜第二実施形態＞
本実施形態では、上述した第一実施形態で示した健康器具１０Ａにおいて、１２個の弾性ボール２が取り付けられた本体部をなすワイヤーロープ１の両端と、把持部５と、を着脱可能な構成とした。
図７は、本発明に係る健康器具の他の例を示す平面図である。
【００４４】
すなわち、この健康器具１０Ｆは、図７（ａ）に示すように、ワイヤーロープ１の両端には、その両端を被覆した状態で固定され、突起部１ａを有するキャップ状の雄側取り付け部材１Ａが取り付けられている。また、把持部５には、その伸縮チューブ５１が貫通可能な通し孔５ａを有し、且つ、雄側部材１Ａに嵌合可能なキャップ状の雌側取り付け部材５Ａが取り付けられている。これにより、雄側取り付け部材１Ａと雌側取り付け部材５Ａとを着脱することで、本体部をなすワイヤーロープ１と把持部５とが着脱自在な構成となっている。
【００４５】
また、この健康器具１０Ｆの本体部をなすワイヤーロープ１として、図７（ｂ）に示すように、弾性ボール２が８個取り付けられたものや、図７（ｃ）に示すように、弾性ボール２が２個取り付けられたものや、図７（ｄ）に示すように、ワイヤーロープ１に弾性ボール２が取り付けられておらず、その外周面に柔軟性を有するチューブ９を外嵌させたものを用意した。
【００４６】
また、この健康器具１０Ｆの把持部５として、図７（ｅ）に示すように、直線状のワイヤーロープ１に、卵形状の弾性ボール５４、硬質の樹脂材料からなるリング状のツボ刺激部材５５、鈴等の音が出るものや香袋が封入された、硬質の樹脂材料からなる半球状のツボ刺激部材５６の少なくとも一つが、貫通され且つ回転自在に支持されたものを用意した。
なお、卵形状の弾性ボール５４やその他のツボ刺激部材５５，５６は、上述と同様に、それぞれ貫通孔５４ａ〜５６ａを備え、それらの貫通孔５４ａ〜５６ａに中空パイプ６が内嵌されているものを用いた。
【００４７】
ここで、図７（ｂ）〜図７（ｄ）に示したワイヤーロープ１は、上述した図７（ａ）に示したワイヤーロープ１と同様に、その両端に雄側取り付け部材１Ａが取り付けられている。また、図７（ｅ）に示した把持部５は、上述した図７（ａ）に示した把持部５と同様に、雌側取り付け部材５Ａが取り付けられている。
【００４８】
本実施形態に係る健康器具１０Ｆにおいては、弾性ボール２の個数や本体部の長さが異なるワイヤーロープ１や、形状や長さが異なる把持部５を複数種類用意しておき、使用者がそれぞれ各自の体型、体力、或いは用途に応じて、弾性ボール２が取り付けられた本体部をなすワイヤーロープ１と、把持部５とを組み合わせて作製した健康器具を使用することができる。
よって、本実施形態に係る健康器具１０Ｆによれば、使用者が適宜必要に応じて、全体の重さや長さ、及び弾性ボール２の個数や把持部５の形状等の異なる健康器具を作製することができるため、健康器具の活用幅をさらに拡げることができる。
【００４９】
また、本実施形態に係る健康器具１０Ｆによれば、持ち運び時や収納時に本体部をなすワイヤーロープ１と把持部５とを取り外すことが可能となるため、持ち運び時や収納時の取り扱いが容易になる。
【００５０】
さらに、本実施形態に係る健康器具１０Ｆによれば、破損箇所のみを適宜交換・修理することが可能となるため、健康器具に要するメンテナンス性能を向上させることができるとともに、健康器具の低コスト化を実現できる。
【００５１】
なお、本実施形態においては、図７（ａ）〜（ｄ）に示すように、本体部をなすワイヤーロープ１に１２個、８個、２個の弾性ボール２を取り付けたもの、又は、弾性ボール２を取り付けていないものを一つのユニット（単位）とした場合について説明したが、これに限らず、これ以外の個数の弾性ボール２を固定したワイヤーロープ１を一つのユニットとしてもよい。
【００５２】
また、ワイヤーロープ１の一端に雄側取り付け部材１Ａを設け、且つ、ワイヤーロープ１の他端に雌側取り付け部材５Ａを設けることで、ワイヤーロープ１同士も着脱自在となるように構成してもよい。この構成にすれば、本体部をなすワイヤーロープ１の長さや重さを使用者が適宜変更することができ、健康器具としての活用幅をさらに拡げることができる。
【００５３】
＜第三実施形態＞
本実施形態では、本発明に係る健康器具を、ブレスレットとして使用する場合について説明する。
図８は、本発明に係る健康器具の一例を示す斜視図である。
【００５４】
この健康器具１０Ｇは、図８に示すように、可撓性を有するワイヤーロープ（紐状部材）１と、当該ワイヤーロープ１に貫通され且つ回転自在に支持された複数（本実施形態では１２個）の弾性ボール２と、当該弾性ボール２を、ワイヤーロープ１の所定部位に固定するための固定部材３と、ワイヤーロープ１の両端に設けられた取り付け部材４と、当該取り付け部材４同士を連結する留め具（連結部材）１１と、で構成されている。
【００５５】
弾性ボール２は、重さ１〜３０ｇ、直径０．５〜２ｃｍの球形で、所定の弾性力を有するゴム部材から構成されている。
また、弾性ボール２は、全て同一の素材及び寸法で構成されている。さらに、弾性ボール２のそれ以外の構成や、仕切り部材７、固定部材３及び取り付け部材４の構成は、上述した第一実施形態と寸法以外略同一の構成となっている。
【００５６】
留め具１１は、ワイヤーロープ１の一端面に設けられた取り付け部材４の通し孔４２に貫通されるリング状の第一部材１１Ａと、ワイヤーロープ１の他端面に設けられた取り付け部材４の通し孔４２に貫通され、第一部材１１Ａに貫通可能な開閉部１１ａを有するリング状の第二部材１１Ｂと、から構成されている。
【００５７】
本実施形態に係る健康器具１０Ｇは、紐状部材であるワイヤーロープ１を使用者の手首に巻きつけた状態で、ワイヤーロープ１の両端に設けた取り付け部材４同士を留め具１１で連結し、ブレスレットとして使用する。
【００５８】
本実施形態に係る健康器具１０Ｇによれば、本発明に係る健康器具を手首に巻き付けてブレスレットとして使用することで、使用時に弾性ボール２の弾性力により手首に対してツボ刺激効果が得られるとともに、ワイヤーロープ１や弾性ボール２の重さにより手首に対して筋力トレーニング効果が得られるため、日常生活の中でツボ刺激及び筋力トレーニングを行うことが可能となる。よって、健康器具としての活用幅を大幅に拡げることができる。
また、本実施形態に係る健康器具１０Ｇを二つ用意して、二つの健康器具１０Ｇをバネ部材やゴム部材等の結合部材で結合し、二つの健康器具１０Ｇを使用者が両手に装着して、筋力トレーニングを行うようにしてもよい。
【００５９】
なお、本実施形態においては、本発明に係る健康器具１０Ｇを、ブレスレットとして使用する場合について説明したが、これに限らず、ネックレス、アンクレット、或いはベルトとして使用してもよい。また、本発明に係る健康器具を、ネームプレート、携帯電話、カメラ等を首に掛けるためのネックストラップとして使用するようにしてもよい。この場合、紐状部材１の素材及び長さや、これに貫通させる弾性ボール２の素材、寸法、及び個数を適宜変更することが好ましい。
【００６０】
＜第四実施形態＞
本実施形態では、本発明に係る健康器具を、手提げ鞄の取手部材として使用する場合について説明する。
図９は、本発明に係る健康器具の他の例を示す正面図である。
【００６１】
この健康器具１０Ｈは、図９に示すように、上述した第三実施形態で示した健康器具と略同一構成を有し、そのワイヤーロープ１の長さ、弾性ボール２の寸法及び個数をそれぞれ変更し、取り付け部材４に取り付ける留め具１１を継ぎ手（連結部材）１２に変更したものである。
【００６２】
すなわち、この健康器具１０Ｈにおいて、弾性ボール２は、全て同一素材及び形状からなる複数個（本実施形態では８個）用いて構成した。ここで、各弾性ボール２は、重さ１〜１００ｇ、直径０．５〜８ｃｍの球形で、所定の弾性力を有するゴム部材から構成されている。なお、弾性ボール２のこれ以外の構成や、仕切り部材７、固定部材３、及び取り付け部材４の構成は、上述した第一実施形態と寸法以外略同一の構成とした。
【００６３】
継ぎ手１２は、ワイヤーロープ１の両端面に設けられた取り付け部材４の通し孔４２に貫通され、手提げ鞄２０に設けられた略U字状の取手取り付け金具２１に貫通可能な開閉部１２ａを有するリング状の金具で構成されている。
【００６４】
本実施形態に係る健康器具１０Ｈは、複数の弾性ボール２が取り付けられたワイヤーロープ１の両端に設けられた継ぎ手１２を、手提げ鞄２に設けられた取手取り付け金具２１に取り付けて、弾性ボール２が取り付けられたワイヤーロープ１を手提げ鞄２０の取手部分として使用する。
【００６５】
すなわち、本実施形態に係る健康器具１０Ｈによれば、手提げ鞄２０の取手部分として使用して鞄２０を持ち運ぶ時に、弾性ボール２の弾性力により手に加わる負担を少なくできるとともに、手の平のツボ刺激や手や腕の筋力トレーニングを行うことができるため、健康器具としての活用幅を拡げることができる。
【００６６】
また、本実施形態に係る健康器具１０Ｈによれば、手提げ鞄２０の取手部分として使用しない場合には、手提げ鞄２０の取手取り付け金具２１から取り外して、通常のツボ刺激用器具や筋力トレーニング用器具として使用することもできるため、健康器具としての活用幅を大幅に拡げることができる。
【００６７】
なお、本実施形態においては、本発明に係る健康器具１０Ｈを、手提げ鞄２０の取手部分として使用する場合について説明したが、これに限らず、手提げ鞄２０の肩紐部分として使用してもよいし、図１０（a）に示すように、本発明に係る健康器具を、リュックサック３０の肩紐部分３１として使用してもよい。ここで、図１０（ａ）中の符号３２は、本発明に係る健康器具をリュックサック３０の肩紐部分３１として取り付けるために、リュックサック３０に設けられた取り付け部分を指す。
【００６８】
また、図１０（ｂ）に示すように、本発明に係る健康器具を、上述したサンダル４０の鼻緒部分４１として使用してもよいし、図示しないが、サンダルのバンド部分として使用してもよい。ここで、図１０（ｂ）中の符号４２は、本発明に係る健康器具をサンダル４０の鼻緒部分４１として取り付けるために、サンダル４０に設けられた取り付け部分を指す。
【００６９】
さらに、図１０（ｃ）に示すように、本発明に係る健康器具を、キャミソール（服）５０の肩紐部分５１として使用してもよいし、図示しないが、下着の肩紐部分に使用するようにしてもよい。ここで、図１０（ｃ）中の符号５２は、本発明に係る健康器具をキャミソール５０の肩紐部分５２として取り付けるために、キャミソール５０に設けられた取り付け部分を指す。
【産業上の利用可能性】
【００７０】
本発明に係る健康器具は、紐状部材に弾性ボールを貫通させ且つ回転自在に支持した構成を有するため、身体に負担を掛けることなくツボ刺激用器具や筋力トレーニング用器具として用いることができるため、老若男女を問わず幅広い年齢層で効果的に使用することができる。
なお、本発明に係る健康器具に使用する弾性ボールに、チタンやゲルマニウム、水晶等といった身体の健康に良いとされる物質を適宜組み合わせることで、より健康器具としての効果を発揮させることが可能である。
また、本発明に係る健康器具は、ネックレス、ブレスレット、アンクレット、ベルト、或いはネックストラップや、鞄の取手部分又は肩紐部分、サンダルの鼻緒部分又はバンド部分、服や下着の肩紐部分、或いは携帯電話用ストラップのように、日常品としても使用できるように構成したため、日常生活の中でツボ刺激や筋力トレーニングを行うことができる。この場合、本発明に係る健康器具を、所定の取り付け部材を介してＴシャツやズボン等の衣服に取り付けられる構成とすれば、直接肌に健康器具が接触しなくなるため、より快適にツボ刺激や筋力トレーニングを行うことができる。
【図面の簡単な説明】
【００７１】
【図１】本発明に係る健康器具を運動器具として使用する場合の一例を示す平面図である。
【図２】本発明に係る健康器具を運動器具として使用する場合の他の例を示す平面図である。
【図３】本発明に係る健康器具を運動器具として使用する場合の他の例を示す平面図である。
【図４】本発明に係る健康器具を運動器具として使用する場合の他の例を示す平面図である。
【図５】本発明に係る健康器具を運動器具として使用する場合の他の例を示す斜視図である。
【図６】本発明に係る健康器具を運動器具として使用する場合の他の例を示す斜視図である。
【図７】本発明に係る健康器具を運動器具として使用する場合の他の例を示す平面図である。
【図８】本発明に係る健康器具をブレスレットとして使用する場合の一例を示す平面図である。
【図９】本発明に係る健康器具を手提げ鞄の取手部分として使用する場合の一例を示す平面図である。
【図１０】本発明に係る健康器具の他の使用例を示し、（ａ）はリュックサックの肩紐部分として使用する場合の背面図、（ｂ）はサンダルの鼻緒部分として使用する場合の一例を示す斜視図、（ｃ）はキャミソールの肩紐部分として使用する場合の一例を示す斜視図である。
【符号の説明】
【００７２】
１    ワイヤーロープ（紐状部材）
２    弾性ボール
２ａ  貫通孔
３    ベアリング（固定部材）
４    取り付け部材
５    把持部
６    中空パイプ
７    仕切り部材
８    ワイヤーロープ
１０Ａ〜１０Ｉ    健康器具
１１    留め具（連結部材）
１２    継ぎ手（連結部材）
【図１】
2008114054.tif 000003
【図２】
2008114054.tif 000004
【図３】
2008114054.tif 000005
【図４】
2008114054.tif 000006
【図５】
2008114054.tif 000007
【図６】
2008114054.tif 000008
【図７】
2008114054.tif 000009
【図８】
2008114054.tif 000010
【図９】
2008114054.tif 000011
【図１０】
2008114054.tif 000012